(57)【特許請求の範囲】
【請求項１】
相互に取り付けられていて重ね合わせているいずれか一方の開口部を露光開口としている地板及びカバー板と、前記地板と前記カバー板との間に配置されている少なくとも１枚の羽根と、前記地板と前記カバー板との間に配置されていて永久磁石を有する回転子の往復回転によって該回転子の出力ピンが前記少なくとも１枚の羽根を露光開口に進退させる電磁アクチュエータと、前記地板と前記カバー板との間で前記電磁アクチュエータに接続されているフレキシブルプリント配線板と、を備えていて、
前記電磁アクチュエータが、前記地板と前記カバー板との少なくとも一方に回転可能に取り付けられた前記回転子と、平板状をしていて一方の面側に筒状のボビン部を有し他方の面側に二つの端子ピンを立設した固定子枠と、前記ボビン部に巻回され両端部を前記端子ピンに各々巻き付けたコイルと、前記ボビン部に対し二つの脚部の一方を貫通させそれらの脚部の先端側に設けた二つの磁極部を前記回転子の周面に対向させたヨークとからなっており、
前記地板と前記カバー板の一方が、その板厚内に、前記フレキシブルプリント配線板と前記コイルの端部とを接合して前記端子ピンを中心にして盛り上がっている半田部の受入れ孔を少なくとも一つ有し、前記半田部が突出しないように受入れ孔に挿入されている、カメラ用羽根駆動装置。
【請求項２】
前記地板と前記カバー板との間には、前記地板の前記開口部と前記カバー板の前記開口部との三者のいずれかによって露光開口を決めるための開口部を有した仕切り板を配置していて、前記少なくとも１枚の羽根は、前記カバー板と前記仕切り板との間に配置され、前記電磁アクチュエータのうち前記回転子は、前記地板と前記仕切り板との間に配置されていて、前記出力ピンは、前記仕切り板に形成された孔を貫通して前記少なくとも１枚の羽根に連結されている請求項１に記載のカメラ用羽根駆動装置。
【請求項３】
前記固定子枠は、前記ボビン部と同一面側に第２のボビン部を有していて、前記二つの端子ピンと同一面側には前記第２のボビン部に巻回された第２のコイルの両端を巻き付ける二つの端子ピンを立設しており、また、前記地板と前記カバー板の間には、前記回転子と同じ構成をした第２の回転子が前記回転子と同様にして取り付けられていて、その第２の回転子の周面には、前記ヨークと同じ構成をしていて前記ヨークと同じようにして前記第２のボビン部に取り付けられた第２のヨークがその二つの磁極部を対向させており、さらに、前記地板と前記カバー板の間には、前記少なくとも１枚の羽根のほかに、前記第２の回転子の出力ピンによって露光開口に進退させられる第２の少なくとも１枚の羽根が配置されており、さらにまた、前記地板と前記カバー板の一方には、その板厚内に、前記フレキシブルプリント配線板と前記二つのコイルの前記端部とを接合して、各々の前記端子ピンを中心にして盛り上がっている半田部の受入れ孔を少なくとも一つ有している請求項１又は２に記載のカメラ用羽根駆動装置。
【請求項４】
前記固定子枠が、各々の一部を重ね合わせた二つの固定子枠からなっていて、前記二つのボビン部と、前記二つずつの端子ピンとが、それらの二つの固定子枠に別々に設けられている請求項３に記載のカメラ用羽根駆動装置。
【請求項５】
前記第２の少なくとも１枚の羽根は、前記カバー板と前記仕切り板との間に配置され、前記第２の回転子は、前記地板と前記仕切り板との間に配置されていて、前記第２の回転子の出力ピンは、前記仕切り板に形成された孔を貫通して前記第２の少なくとも１枚の羽根に連結されている請求項３又は４に記載のカメラ用羽根駆動装置。
【発明の詳細な説明】
【技術分野】
【０００１】
本発明は、電磁アクチュエータによって、少なくとも１枚の羽根を往復作動させるようにしたカメラ用羽根駆動装置に関する。
【背景技術】
【０００２】
カメラ用羽根駆動装置としては、シャッタ装置，絞り装置，フィルタ装置，レンズバリア装置が知られているが、各装置の羽根は、最近では、電磁アクチュエータによって往復作動させられるようになっている。また、それらの装置は、単独でユニット化されることもあるが、シャッタ装置，絞り装置，フィルタ装置の場合には、それらの二つ以上をユニット化することもある。そして、下記の特許文献１，２には、シャッタ装置と絞り装置とをユニット化したものが記載されている。
【０００３】
特許文献１，２の記載からも分かるように、最近のカメラ用羽根駆動装置の一般的な構成は、地板とカバー板の間に羽根室を構成し、その羽根室内においては、少なくとも１枚の羽根を地板に対して回転可能に取り付けている。また、電磁アクチュエータは、地板の羽根室外側の面に取り付けられていて、回転子は、その出力ピンを、地板の孔に貫通させ、羽根室内で羽根に連結させており、回転子の往復回転によって羽根が往復回転させられるようにしている。
【０００４】
また、電磁アクチュエータの構成部材であって地板から一番離れて配置されている固定子枠（特許文献１においては、モータ枠）には、フレキシブルプリント配線板が重ねられている。そして、このフレキシブルプリント配線板は、それに設けた孔を、固定子コイルの端部を巻き付けた端子ピンに嵌合させ、半田付けされることによって、固定子コイルに対して電気的に接続されている。本発明は、このような構成を改良したカメラ用羽根駆動装置に関するものである。
【先行技術文献】
【特許文献】
【０００５】
【特許文献１】特開２００９−７５３９７号公報
【特許文献２】特開２０１０−８５４３６号公報
【発明の概要】
【発明が解決しようとする課題】
【０００６】
特許文献１，２に記載のカメラ用羽根駆動装置に採用されている電磁アクチュエータは、装置全体の薄型化に適した構成をしているが、最近では、装置の尚一層の薄型化が要求されている。ところで、特許文献１，２に記載されているような構成の場合には、特許文献１の図３からも分かるように、半田部が、フレキシブルプリント配線板の外側に、端子ピンを中心にして盛り上がって形成されることになる。そのため、この半田部の存在が、装置全体としての薄型化をはばむ要因になっているほか、ユニットでの取り扱い上やカメラへの組み付け作業上で、フレキシブルプリント配線板が引っ張られるなどしたときに、半田を損傷させる要因や、フラックスが羽根に付着する要因にもなっている。そこで、このような半田部と共に電磁アクチュエータを、地板とカバー板の間に配置するようにすることも考えられているが、そのような配置にしただけでは、半田の損傷防止やフラックスの羽根付着防止には対応することができても、装置の薄型化には寄与しない。
【０００７】
本発明は、このような問題点を解決するためになされたものであり、その目的とするところは、地板とカバー板の間に、予めフレキシブルプリント配線板を半田付けしている電磁アクチュエータを配置することによって、装置の薄型化を可能にしたカメラ用羽根駆動装置を提供することである。
【課題を解決するための手段】
【０００８】
上記の目的を達成するために、本発明のカメラ用羽根駆動装置は、相互に取り付けられていて重ね合わせているいずれか一方の開口部を露光開口としている地板及びカバー板と、前記地板と前記カバー板との間に配置されている少なくとも１枚の羽根と、前記地板と前記カバー板との間に配置されていて永久磁石を有する回転子の往復回転によって該回転子の出力ピンが前記少なくとも１枚の羽根を露光開口に進退させる電磁アクチュエータと、前記地板と前記カバー板との間で前記電磁アクチュエータに接続されているフレキシブルプリント配線板と、を備えていて、前記電磁アクチュエータが、前記地板と前記カバー板との少なくとも一方に回転可能に取り付けられた前記回転子と、平板状をしていて一方の面側に筒状のボビン部を有し他方の面側に二つの端子ピンを立設した固定子枠と、前記ボビン部に巻回され両端部を前記端子ピンに各々巻き付けたコイルと、前記ボビン部に対し二つの脚部の一方を貫通させそれらの脚部の先端側に設けた二つの磁極部を前記回転子の周面に対向させたヨークとからなっており、前記地板と前記カバー板の一方が、その板厚内に、前記フレキシブルプリント配線板と前記コイルの端部とを接合して前記端子ピンを中心にして盛り上がっている半田部の受入れ孔を少なくとも一つ有しているようにする。
【０００９】
その場合、前記地板と前記カバー板との間には、前記地板の前記開口部と前記カバー板の前記開口部との三者のいずれかによって露光開口を決めるための開口部を有した仕切り板を配置していて、前記少なくとも１枚の羽根は、前記カバー板と前記仕切り板との間に配置され、前記電磁アクチュエータのうち前記回転子は、前記地板と前記仕切り板との間に配置されていて、前記出力ピンは、前記仕切り板に形成された孔を貫通して前記少なくとも１枚の羽根に連結されているようにするのが好ましい。
【００１０】
また、前記固定子枠は、前記ボビン部と同一面側に第２のボビン部を有していて、前記二つの端子ピンと同一面側には前記第２のボビン部に巻回された第２のコイルの両端を巻き付ける二つの端子ピンを立設しており、また、前記地板と前記カバー板の間には、前記回転子と同じ構成をした第２の回転子が前記回転子と同様にして取り付けられていて、その第２の回転子の周面には、前記ヨークと同じ構成をしていて前記ヨークと同じようにして前記第２のボビン部に取り付けられた第２のヨークがその二つの磁極部を対向させており、さらに、前記地板と前記カバー板の間には、前記少なくとも１枚の羽根のほかに、前記第２の回転子の出力ピンによって露光開口に進退させられる第２の少なくとも１枚の羽根が配置されており、さらにまた、前記地板と前記カバー板の一方には、その板厚内に、前記フレキシブルプリント配線板と前記二つのコイルの前記四つの端部とを接合して、各々の前記端子ピンを中心にして盛り上がっている半田部の受入れ孔を少なくとも一つ有しているように構成してもよい。
【００１１】
その場合、前記固定子枠が、各々の一部を重ね合わせた二つの固定子枠からなっていて、前記二つのボビン部と、前記二つずつの端子ピンとが、それらの二つの固定子枠に別々に設けられているようにしてもよい。また、前記第２の少なくとも１枚の羽根は、前記カバー板と前記仕切り板との間に配置され、前記第２の回転子は、前記地板と前記仕切り板との間に配置されていて、前記第２の回転子の出力ピンは、前記仕切り板に形成された孔を貫通して前記第２の少なくとも１枚の羽根に連結されているようにするのが好ましい。
【発明の効果】
【００１２】
本発明のカメラ用羽根駆動装置は、地板とカバー板の間に、電磁アクチュエータを配置して、単にフレキシブルプリント配線板と接続するようにしただけではなく、地板とカバー板の一方の板厚内に孔を形成し、その中へ、フレキシブルプリント配線板とコイルの端部とを接合して端子ピンを中心に盛り上がっている半田部が入り込めるようにしたので、装置全体が薄型化されるという利点があり、特に、小型のデジタルカメラや、携帯電話，ＰＤＡなどの情報端末機器内蔵カメラに用いて有効である。
【図面の簡単な説明】
【００１３】
【図１】実施例１の平面図である。
【図２】実施例１の分解斜視図である。
【図３】図２に示されている固定子枠とフレキシブルプリント配線板との分解斜視図である。
【図４】実施例１の固定子枠の変形例を図３と同じようにして示した分解斜視図である。
【図５】実施例２を図２と同じようにして示した分解斜視図である。
【発明を実施するための最良の形態】
【００１４】
本発明の実施の形態を、図示した二つの実施例によって説明するが、本発明の構成は、それらの実施例の構成だけに限定されるものではない。そのため、その他の構成については、各実施例の説明の中で随時説明することにする。尚、図１〜図３は、実施例１を説明するためのものであり、図４は、実施例１の変形例を説明するためのものであり、図５は、実施例２を説明するためのものである。また、各実施例の構成説明に際して用いられる「被写体側」とは、装置全体の各分解斜視図（図２，図５）の下方側のことをいい、「撮像素子側」とは、それらの分解斜視図の上方側のことをいうが、周知のように、実施製品としては、反対向きに配置してもよいことは言うまでもない。
【実施例１】
【００１５】
図１〜図３を用いて実施例１を説明する。本実施例は、２枚のシャッタ羽根を備えたシャッタ装置と１枚の絞り羽根を備えた絞り装置とをユニット化したものであって、図１は、撮像素子側から見た平面図であり、図２は、その分解斜視図であり、図３は、図２に示されている固定子枠とフレキシブルプリント配線板との分解斜視図である。
【００１６】
最初に、本実施例の構成を説明する。本実施例の地板１は、比較的厚い合成樹脂製の板状部材であって、平面外形形状は略正方形をしており、その中央部に、円形をした被写体光路用の開口部１ａを有している。また、地板１の三方の側面に形成されたくぼみの中には、合計四つの係合部１ｂ，１ｃ，１ｄ，１ｅが形成されているが、図２では、それらのうちの二つの側面に形成された係合部１ｂ，１ｃの形状が分かり易く示されている。
【００１７】
地板１の撮像素子側の面には、四つの軸１ｆ，１ｇ，１ｈ，１ｉと五つのストッパ１ｊ，１ｋ，１ｍ，１ｎ，１ｐが立設されている。また、図２から分かるように、軸１ｆ，１ｇの立設されている近傍領域には、複雑な形状をした凹部が形成されている。これらの凹部の形状については詳細に説明しないが、後述する電磁アクチュエータの構成部材の一部を受け入れ、被写体光路に対して直交する方向への動きを規制し得るように形成されている。本実施例は、このような地板１の撮像素子側の面に、他の構成部材を順に組み付けてゆき、最後に、一番撮像素子側に配置されるカバー板２を取り付けることによって、ユニットの組立が完了するようになっている。そのため、以下においては、その組み付け順にしたがって説明する。
【００１８】
先ず、最初に組み付けられる電磁アクチュエータについて説明する。本実施例の電磁アクチュエータは、回転子と固定子からなっていて、地板１に対しては、回転子と固定子を別々に組み付けるようになっている。そして、その組付け順は、回転子を先に組み付けても、固定子を先に組み付けてもよいようになっているが、ここでは、回転子の方が先であることにして説明する。上記した地板１の軸１ｇは２段軸になっていて、根元側の軸部が先端側の軸部より太くなっている。そして、根元側の軸部の直径は、軸１ｆの直径と同じであり、先端側の軸部の直径は、軸１ｈ，１ｉの直径と同じである。そこで、軸１ｆには回転子３が回転可能に取り付けられ、軸１ｇの根元側の軸部には回転子４が回転可能に取り付けられている。
【００１９】
また、それらの回転子３，４は、同じ構成をしており、軸１ｆ，１ｇに取り付けられる部位である円筒状の本体部３ａ，４ａと、それらの本体部３ａ，４ａから径方向へ伸びている腕部３ｂ，４ｂと、それらの腕部３ｂ，４ｂの先端に形成された出力ピン３ｃ，４ｃとからなっている。そして、これらの回転子３，４は、永久磁石製であって、本体部３ａ，４ａが、径方向に２極に着磁されている。但し、周知であるように、腕部３ｂ，４ｂと出力ピン３ｃ，４ｃとを合成樹脂製であるようにしたものであっても構わない。
【００２０】
次に、固定子について説明する。本実施例の固定子は、固定子枠５と、二つのコイル６，７と、二つのヨーク８，９とで構成されている。それらのうち、平板状をしている固定子枠５は、図３に示されているように、略Ｌ字型をしていて、その両端には、地板１と対向する面側となるようにして筒状のボビン部５ａ，５ｂを設けており、また、反対側の面には、四つの端子ピン５ｃ，５ｄ，５ｅ，５ｆを立設している。
【００２１】
また、二つのコイル６，７は、上記のボビン部５ａ，５ｂの外側に巻回されている。そして、図示していないが、コイル６の両端部は、図３において、固定子枠５の上面を這わされ、端子ピン５ｃ，５ｄに巻き付けられている。他方、もう一方のコイル７の両端部も、同様にして固定子枠５の上面を這わされ、端子ピン５ｅ，５ｆに巻き付けられている。
【００２２】
更に、二つのヨーク８，９は、図２にから分かるように、略Ｕ字形をしており、各々の二つの脚部の先端近傍部位を、回転子３，４の本体部３ａ，４ａの周面に対向させるための磁極部としている。そして、ヨーク８は、図２の左上方から、直線状をしている方の脚部を、固定子枠５のボビン部５ａに貫通させ、もう一方のヨーク９は、図２の左下方から、直線状をしている方の脚部を、固定子枠５のボビン部５ｂに貫通させている。
【００２３】
ところで、本実施例の固定子は、このように構成された状態で、地板１に装着されるわけではない。その前に、固定子枠５に対してフレキシブルプリント配線板１０を取り付けておいてから、フレキシブルプリント配線板１０と一緒に装着するようにしている。そのため、ここで、固定子枠５に対するフレキシブルプリント配線板１０の取付け方を説明しておく。
【００２４】
固定子枠５に対するフレキシブルプリント配線板１０の取付けは、固定子枠５のボビン部５ａ，５ｂにコイル６，７を巻回し、それらの端部を端子ピン５ｃ，５ｄ，５ｅ，５ｆに巻き付けた状態であって、ボビン部５ａ，５ｂに対しては、ヨーク８，９を取り付けていない状態において行われる。その場合には、周知のように、フレキシブルプリント配線板１０に形成された四つの孔を端子ピン５ｃ，５ｄ，５ｅ，５ｆに嵌合させておいて、半田付けする。そのため、図３から分かるように、半田付け後における半田部１１，１２，１３，１４は、端子ピン５ｃ，５ｄ，５ｅ，５ｆを中心に盛り上がった形状になる。そして、その後に、フラックスなどの汚れを洗浄したものが、組み付け用に供される。
【００２５】
尚、本実施例の固定子枠５は、上記のような形状をしているが、図４には、その変形例が示されている。即ち、この変形例は、本実施例の固定子枠５が二つの固定子枠５Ａ，５Ｂに分けられていて、固定子枠５Ａには、固定子枠５のボビン部５ａと端子ピン５ｃ，５ｄに相当する、ボビン部５Ａ−１と端子ピン５Ａ−２，５Ａ−３が設けられ、また、固定子枠５Ｂには、固定子枠５のボビン部５ｂと端子ピン５ｅ，５ｆに相当する、ボビン部５Ｂ−１と端子ピン５Ｂ−２，５Ｂ−３が設けられている。そして、それらの固定子枠５Ａ，５Ｂの一部を重ね合わせておいてから、フレキシブルプリント配線板１０を半田付けするようにしている。
【００２６】
本発明は、回転子を二つ備えている場合には、固定子枠を、本実施例の固定子枠５のように１部材とすることに限定されず、２部材としても構わないが、２部材とする場合には、この変形例のように、それらの一部を重ね合わせた構成にすると、重ね合わせないようにした場合に比較して、半田付け作業やその後の洗浄作業がし易くなるほか、半田付け後の下組み部品段階における搬送作業なども容易になる。
【００２７】
また、本実施例の場合には、固定子枠５に四つの端子ピン５ｃ，５ｄ，５ｅ，５ｆを立設しているが、本発明は、このような構成に限定されず、特許文献２にも記載されているように、端子ピンを三つにして、一つの端子ピンを二つのコイル６，７の共通の端子ピンとし、コイル６の一方の端部と、コイル７の一方の端部との両方を巻き付けるようにしても構わない。そのように構成すると、スペース的にもコスト的にも有利になる。
【００２８】
本実施例は、このようにして、固定子枠５にフレキシブルプリント配線板１０を取り付けておいた後、上記のようにして、固定子枠５のボビン部５ａ，５ｂにヨーク８，９を取り付けておき、それらの構成部材を地板１に装着するようにする。そのため、その装着状態においては、ヨーク８，９と、コイル６，７を巻回したボビン部５ａ，５ｂの一部とが、上記した地板１の２箇所の凹部に挿入された状態になり、被写体光路に対して直交する方向の動きが規制されると共に、周知のように、ヨーク８，９の各々の二つの磁極部が、回転子３，４の本体部３ａ，４ａの周面に対向した状態になる。
【００２９】
このような構成をした電磁アクチュエータの次に、地板１に対して、仕切り板１５が取り付けられている。この仕切り板１５は、合成樹脂製の薄い板部材であって、地板１の開口部１ａと重なるところに、開口部１ａよりも直径の小さな円形の開口部１５ａを形成しているほか、円弧状の二つの長孔１５ｂ，１５ｃと、円形をした四つの孔１５ｄ，１５ｅ，１５ｆ，１５ｇを形成している。
【００３０】
そして、長孔１５ｂ，１５ｃには、上記の回転子３，４の出力ピン３ｃ，４ｃが挿入されており、孔１５ｄには、上記の軸１ｇの直径の小さい先端側の軸部が嵌合している。また、孔１５ｅ，１５ｆには、上記の軸１ｈ，１ｉが嵌合している。仕切り板１５は、このようにして取り付けられることによって、孔１５ｄの周辺部位が、軸１ｇからの回転子４の抜け止めをし、図２における下端部位が、軸１ｆからの回転子３の抜け止めをしている。尚、孔１５ｇについては、後述のカバー板２のところで説明する。
【００３１】
仕切り板１５の次には、絞り羽根１６が取り付けられている。この絞り羽根１６は、仕切り板１５の開口部１５ａよりも直径の小さな円形の絞り開口１６ａを有しているほか、円形の孔１６ｂと長孔１６ｃを有している。そして、この絞り羽根１６は、孔１６ｂを、上記の軸１ｉに回転可能に嵌合させ、長孔１６ｃには、上記の回転子３の出力ピン３ｃを挿入させている。
【００３２】
絞り羽根１６の次には、２枚のシャッタ羽根１７，１８が取り付けられている。先ず、地板１側に配置されているシャッタ羽根１７は、円形の孔１７ａと長孔１７ｂを有していて、孔１７ａを上記の軸１ｈに回転可能に嵌合させ、長孔１７ｂには、上記の回転子４の出力ピン４ｃを挿入させている。また、カバー板２側に配置されているシャッタ羽根１８は、円形の孔１８ａと長孔１８ｂを有しているほか、円弧状の長孔１８ｃを有していて、孔１８ａを上記の軸１ｇの先端側の軸部に対して回転可能に嵌合させ、長孔１８ｂには、上記の回転子４の出力ピン４ｃを挿入させている。尚、円弧状の長孔１８ｃについては、下記のカバー板２のところで説明する。
【００３３】
最後に、カバー板２について説明する。本実施例のカバー板２は、合成樹脂製であって、地板１よりは薄いが、仕切り板１５よりはかなり厚い板部材であり、平面外形形状は地板１と略同じ形状をしている。このカバー板２の外周縁部には、地板１に向けて可撓性を有する四つのフック部２ａ，２ｂ，２ｃ，２ｄが形成されているが、図２においては、それらのうちの三つのフック部２ａ，２ｂ，２ｃの形状が、分かり易く示されている。そして、このカバー板２は、それらのフック部２ａ，２ｂ，２ｃ，２ｄを一時的に撓ませて、地板１の側面に形成されている上記の係合部１ｂ，１ｃ，１ｄ，１ｅに引っ掛けることによって地板１に取り付けられている。
【００３４】
このようにして地板１に取り付けられているカバー板２は、地板１の開口部１ａと仕切り板１５の開口部１５ａとに重なるところに、被写体光路用の開口部２ｅを有している。本実施例の場合、この開口部２ｅの直径は、地板１の開口部１ａの直径より小さいが、仕切り板１５の開口部１５ａの直径よりも大きい。そのため、本実施例において、露光開口は、仕切り板１５の開口部１５ａによって規制されているが、周知のように、開口部１ａ，２ｅのうちのいずれか一方の直径を一番小さくして、露光開口を規制させるようにしても構わない。
【００３５】
また、このカバー板２には、九つの円形の孔２ｆ，２ｇ，２ｈ，２ｉ，２ｊ，２ｋ，２ｍ，２ｎ，２ｐと、二つの円弧状の孔２ｑ，２ｒが形成されていて、外周縁部には、三つの逃げ部２ｓ，２ｔ，２ｕが形成されている。そして、カバー板２が地板１に取り付けられた状態のときは、孔２ｆ，２ｇ，２ｈには、カバー板２の板厚内において、地板１の軸１ｉ，１ｈ，１ｇの先端が挿入されている。また、円弧状の長孔２ｑ，２ｒには、カバー板２の板厚内において、回転子３，４の出力ピン３ｃ，４ｃの先端が挿入されている。
【００３６】
また、孔２ｉ，２ｊには、カバー板２の板厚内において、地板１のストッパ１ｋ，１ｐの先端が挿入されており、孔２ｋ，２ｍ，２ｎ，２ｐには、カバー板２の板厚内において、上記の半田部１１，１２，１３，１４が挿入されている。更に、逃げ部２ｓ，２ｔ，２ｕは、カバー板２が地板１に取り付けられた状態のとき、ストッパ１ｊ，１ｍ，１ｎの先端と干渉しないようにするためのものである。
【００３７】
このほか、カバー板２の地板１側の面には、図１に示されている、断面がお結び状をした押さえピン２ｖと、断面が円形をした押さえピン２ｗが立設されている。そして、押さえピン２ｖは、仕切り板１５の外縁に形成された逃げ部によって、仕切り板１５とは干渉せずに、その先端面でヨーク８の脚部を押さえるようになっている。また、押さえピン２ｗは、上記のシャッタ羽根１８の円弧状の長孔１８ｃと、仕切り板１５の孔１５ｇに挿入されていて、その先端面でヨーク９の脚部を押さえている。そのため、シャッタ羽根１８は、押さえピン２ｗには干渉することなく、軸１ｇを中心にして所定の角度範囲内で往復回転が可能になっている。
【００３８】
このような構成説明から分かるように、本実施例の場合には、半田部１１，１２，１３，１４が、カバー板２の板厚内において、孔２ｋ，２ｍ，２ｎ，２ｐに挿入されている。そのため、特許文献１，２に記載のようにしてフレキシブルプリント配線板を取り付けた場合や、単に地板とカバー板の間にフレキシブルプリント配線板を配置するようにした場合に比較して、フレキシブルプリント配線板から盛り上がっている半田部１１，１２，１３，１４の高さ分だけ、装置全体の薄型化が可能になっている。
【００３９】
尚、本実施例においては、カバー板２に形成されている孔２ｋ，２ｍ，２ｎ，２ｐが、貫通孔として形成されているが、カバー板２の厚さが、何らかの理由によって、本実施例の場合よりも厚くせざるを得ないような場合には、貫通孔でなくても差し支えない。また、本実施例の場合には、半田部１１，１２，１３，１４ごとに一つずつ孔２ｋ，２ｍ，２ｎ，２ｐを形成しているが、一つの孔に複数の半田部を挿入するようにしても差し支えない。そして、これらのことは、それらの孔を形成している部材が異なるとはいえ、下記の実施例２の場合にも、言えることである。
【００４０】
次に、本実施例の作動を簡単に説明する。図１は、撮影待機状態を示したものである。そのため、このときには、カメラの電源スイッチはオンになっていて開口部１５ａは全開になっているので、図示していない撮像素子には被写体光が当たっていて、撮影者は、モニターにより、被写体像を観察することが可能になっている。
【００４１】
撮影に際してレリーズボタンを押すと、その初期段階において、測光装置が被写体光の測定結果によって、被写体光を減じて撮影するか、減じないで撮影するかを判断する。そして、被写体光を減じて撮影すると判断した場合には、絞り羽根１６を開口部１５ａ内に進入させておいてから実際の撮影が開始され、また、被写体光を減じないで撮影すると判断した場合には、直ちに実際の撮影が開始される。しかし、実際の撮影工程は、両者とも同じであるため、本実施例の作動説明は、前者の場合についてだけ説明することにする。
【００４２】
被写体光を減じて撮影すると判断した場合には、先ず、コイル６に対して順方向の電流が供給され、回転子３を時計方向へ回転させる。そのため絞り羽根１６は、出力ピン３ｃによって反時計方向へ回転され、ストッパ１ｋに当接して停止させられる。それによって、撮影は、絞り開口１６ａを通過した被写体光によって行われることになる。
【００４３】
絞り羽根１６の回転が停止すると、撮像素子に蓄積されていた電荷が放出されることによって撮影が開始され、新たな電荷が撮像素子に蓄積されていく。そして、撮像素子に当たる被写体光の明るさに対応した時間が経過すると、今度はコイル７に対して順方向の電流を供給し、回転子４を時計方向へ回転させる。そのため、出力ピン４ｃによって、２枚のシャッタ羽根１７，１８は相反する方向へ回転させられ、絞り開口１６ａを閉鎖する。そして、シャッタ羽根１７，１８の回転が、ストッパ１ｎ，１ｐに当接して停止すると、撮像素子に蓄積された電荷が、撮像情報として記憶装置に転送される。
【００４４】
撮像情報が記憶装置に記憶されると、二つのコイル６，７に対して逆方向への電流が供給されるので、回転子３，４はいずれも反時計方向へ回転させられる。そのため、絞り羽根１６は、出力ピン３ｃによって時計方向へ回転させられ、ストッパ１ｊに当接して停止する。また、２枚のシャッタ羽根１７，１８は、出力ピン４ｃによって相反する方向へ回転させられ、ストッパ１ｍ，１ｎに当接して停止する。その後、コイル６，７に対する通電を断つと、図１に示された撮影待機状態に復帰したことになる。
【００４５】
尚、本実施例のカメラ用羽根駆動装置は、シャッタ装置と絞り装置とをユニット化したものであるが、このような構成において、絞り開口１６ａをフィルタシートで覆った構成にすると、シャッタ装置とフィルタ装置とをユニット化したものになる。また、本実施例から回転子３と絞り羽根１６とを無くし、固定子枠５を、図４に示した固定子枠５Ｂだけにした構成にすれば、シャッタ装置だけをユニット化したものになる。そして、本実施例のように構成する場合であっても、シャッタ装置だけをユニット化する場合であっても、シャッタ羽根の大きさを本実施例の場合よりも大きくすれば、シャッタ羽根は１枚だけでもよいことになる。
【００４６】
更に、本実施例から回転子４と２枚のシャッタ羽根１７，１８を無くし、固定子枠５を、図４に示した固定子枠５Ａだけにした構成にすれば、絞り装置だけをユニット化したものになるし、その場合に、絞り開口１６ａをフィルタシートで覆った構成にすると、フィルタ装置だけをユニット化したものになる。また、それらのように、シャッタ装置，絞り装置，フィルタ装置を単独でユニット化した場合には、当然のことながら、本実施例の半田部１１，１２，１３，１４に相当する半田部は二つだけでよいことになる。そして、これらのことは、下記の実施例２についても言えることであり、それらは全て、本発明の実施態様である。
【実施例２】
【００４７】
次に、上記の図２と同じようにして示した図５を用いて実施例２を説明する。本実施例の構成は、実施例１の構成に対して、固定子枠の形状と、地板に対する装着姿勢が異なっており、それに伴い、地板とカバー板の一部の形状が異なっているものである。そのため、実施例１の場合と全く同じ部材と部位には同じ符号を付け、それらについての説明を省略する。
【００４８】
本実施例の固定子枠２５は、実施例１の固定子枠５と同じように、略Ｌ字型の平板状をしていて、その両端にはボビン部２５ａ，２５ｂを設けているが、それらのボビン部２５ａ，２５ｂは、実施例１の場合とは異なり、固定子枠２５の、カバー板２２側となる面側にあるように形成されている。そして、それらのボビン部２５ａ，２５ｂには、実施例１の場合と同様に、コイル６，７が巻回されている。
【００４９】
また、この固定子枠２５にも、コイル６，７の端部を巻き付けている、実施例１の端子ピン５ｃ〜５ｆに相当する四つの端子ピンが立設されているが、本実施例の場合には、それらは、地板２１側の面に立設されていて、図２では目視することができない。そのため、本実施例の場合には、実施例１の半田部１１〜１４に相当する四つの半田部は、地板２１側に盛り上がって形成されていることになる。
【００５０】
また、本実施例の地板２１には、実施例１の地板１には形成されていなかった四つの孔２１Ｋ，２１Ｍ，２１Ｎ，２１Ｐが形成されている。これらの孔は、実施例１のカバー板２に形成されている四つの孔２ｋ，２ｍ，２ｎ，２ｐに相当する孔である。そのため、本実施例のカバー板２２には、それらの四つの孔に相当する孔は形成されていない。そして、本実施例の地板２１の場合には、固定子枠２５に対応する領域が、実施例１の地板１に比べて、全体的に薄く形成されている。尚、地板２１とカバー板２２に付けられているその他の符号は、実施例１の場合と実質的に同じ部位に同じアルファベットを添えて付けたものである。そのため、それらについての説明は省略する。
【００５１】
本実施例は、このように構成されているので、最後にカバー板２２を地板２１に取り付けた状態においては、固定子枠２５の下面側にあって目視することのできない四つの半田部が、地板２１の板厚内で、四つの孔２１Ｋ，２１Ｍ，２１Ｎ，２１Ｐに挿入されている。そのため、本実施例の場合にも、特許文献１，２に記載のようにしてフレキシブルプリント配線板を取り付けた場合や、単に地板とカバー板の間にフレキシブルプリント配線板を配置するようにした場合に比較して、フレキシブルプリント配線板から盛り上がっている半田部の高さ分だけ、装置全体の薄型化が可能になっている。
【００５２】
尚、本実施例の作動は、実施例１の場合と同様にして行われるので、その説明を省略する。
【符号の説明】
【００５３】
１，２１                      地板
１ａ，２ｅ，１５ａ，２１ａ    開口部
１ｂ〜１ｅ，２１ｂ，２１ｃ    係合部
１ｆ〜１ｉ，２１ｆ〜２１ｉ    軸
１ｊ，１ｋ，１ｍ，１ｎ，１ｐ，２１ｊ，２１ｋ，２１ｍ，２１ｎ，２１ｐ  ストッパ
２，２２                        カバー板
２ａ〜２ｄ，２２ａ〜２２ｃ    フック部
２ｆ〜２ｋ，２ｍ，２ｎ，２ｐ，１５ｄ〜１５ｇ，１６ｂ，１７ａ，１８ａ，２１Ｋ，２１Ｍ，２１Ｎ，２１Ｐ，２２ｆ〜２２ｊ  孔
２ｑ，２ｒ，１５ｂ，１５ｃ，１６ｃ，１７ｂ，１８ｂ，１８ｃ，２２ｑ，２２ｒ  長孔
２ｓ〜２ｕ，２２ｓ〜２２ｕ    逃げ部
２ｖ，２ｗ                    押さえピン
３，４                        回転子
３ａ，４ａ                    本体部
３ｂ，４ｂ                    腕部
３ｃ，４ｃ                    出力ピン
５，５Ａ，５Ｂ，２５          固定子枠
５ａ，５ｂ，５Ａ−１，５Ｂ−１，２５ａ，２５ｂ  ボビン部
５ｃ〜５ｆ，５Ａ−２，５Ａ−３，５Ｂ−２，５Ｂ−３  端子ピン
６，７                        コイル
８，９                        ヨーク
１０                          フレキシブルプリント配線板
１１，１２，１３，１４        半田部
１５                          仕切り板
１６                          絞り羽根
１６ａ                        絞り開口
１７，１８                    シャッタ羽根
【図１】
0005829878.tif 000002
【図２】
0005829878.tif 000003
【図３】
0005829878.tif 000004
【図４】
0005829878.tif 000005
【図５】
0005829878.tif 000006